(57)【要約】【課題】  着用者の姿勢を良くする姿勢補整衣類を提供する。【解決手段】  姿勢補整衣類１は、本体部１０と緊締部２０とを備える。緊締部２０は、帯状の第１緊締部２２と第２緊締部２４とからなる。第１緊締部２２は、着用者の腹部中央から左右肋骨の下端部に向かって左右に分かれ、それぞれ左右肋骨の下端部を通り背中で互いに連結されることにより形成されている。第２緊締部２４は、腹部中央から左右に分かれ、仙骨部の後を通り仙骨部の下部の後中心で互いに連結されることにより形成されている。第１緊締部２２の幅は、第２緊締部２４の幅よりも大きく形成されている。姿勢補整衣類１の丈方向において、本体部１０の伸長率は、緊締部２０の伸長率の１．５〜５倍である。【選択図】  図１
2008144302.tif 000002
【特許請求の範囲】
【請求項１】
伸縮性を有する本体部と、前記本体部の緊締力よりも強い緊締力を有すると共に帯状に形成された緊締部とを備え、着用者の人体にフィットするようにした姿勢補整衣類であって、
前記緊締部は、
着用者の腹部中央から左右肋骨の下端部に向かって左側と右側に分かれ、それぞれ左右肋骨の下端部を通り背中で互いに連結されることにより形成された第１緊締部と、
着用者の腹部中央から左側と右側に分かれ、仙骨部の後を通り仙骨部の下部の後中心で互いに連結されることにより形成された第２緊締部と、を有し、
前記第１緊締部の幅は、前記第２緊締部の幅よりも大きく形成され、
姿勢補整衣類の丈方向において、前記本体部の伸長率は、前記緊締部の伸長率の１．５〜５倍であることを特徴とする姿勢補整衣類。
【請求項２】
前記緊締部は、伸縮性を有する生地と、当該生地の肌側に縫着された当て布とからなり、
前記本体部は、前記伸縮性を有する生地から形成されていることを特徴とする請求項１に記載の姿勢補整衣類。
【請求項３】
前記第１緊締部と前記第２緊締部とは、着用者の腹部中央に対応する部分で重ね合わされ、重ね合わせ領域を形成し、
前記重ね合わせ領域は、前記伸縮性を有する生地と、前記第１緊締部のあて布と、前記第２緊締部のあて布とからなることを特徴とする請求項１又は２に記載の姿勢補整衣類。
【請求項４】
股部を更に備えることを特徴とする請求項１〜３のいずれか１項に記載の姿勢補整衣類。
【発明の詳細な説明】
【技術分野】
【０００１】
本発明は、着用者の姿勢を良くする姿勢補整衣類に関する。
【背景技術】
【０００２】
従来、このような分野の技術として、下記の特許文献がある。例えば特許文献１には、人体の筋肉の作用方向と一致して伸縮する伸縮部有する衣類が開示されている。そして、伸縮部が身体の動きに追随して伸縮することで、整体効果が図られている。また、特許文献２には、前身頃及び後身頃の少なくとも一方にＸ字状に形成された伸縮部を備えたボディスーツが開示されている。この伸縮部の伸縮力によって、腹部及び臀部の贅肉を引き上げ、姿勢の矯正が図られている。
【特許文献１】特開昭６１−２３９００２号公報
【特許文献２】特許第２５８３４７６号公報
【特許文献３】特開平７−２６８７０４号公報
【発明の開示】
【発明が解決しようとする課題】
【０００３】
しかしながら、上記の文献に記載された姿勢補整衣類は、筋肉のサポートや贅肉を引き上げることを目的とするものであり、体幹を支えることができないため、姿勢を整えることが困難であった。
【０００４】
本発明は、着用者の姿勢を良くする姿勢補整衣類を提供することを目的とする。
【課題を解決するための手段】
【０００５】
本発明に係る姿勢補整衣類は、伸縮性を有する本体部と、本体部の緊締力よりも強い緊締力を有すると共に帯状に形成された緊締部とを備え、着用者の人体にフィットするようにした姿勢補整衣類であって、緊締部は、着用者の腹部中央から左右肋骨の下端部に向かって左側と右側に分かれ、それぞれ左右肋骨の下端部を通り背中で互いに連結されることにより形成された第１緊締部と、着用者の腹部中央から左側と右側に分かれ、仙骨部の後を通り仙骨部の下部の後中心で互いに連結されることにより形成された第２緊締部と、を有し、第１緊締部の幅は、第２緊締部の幅よりも大きく形成され、姿勢補整衣類の丈方向において、本体部の伸長率は、緊締部の伸長率の１．５〜５倍であることを特徴とする。
【０００６】
本発明に係る姿勢補整衣類によれば、着用状態において、第１緊締部と第２緊締部とが有する緊締力により、腹部中央、左右の肋骨下端部を結ぶ背中、仙骨部の下部の後中心を頂点とした張力を有する三角形の領域が形成される。そして、この三角形頂点にそれぞれ対応する腹筋群、脊柱起立筋群及び殿筋群をサポートし、三点で体幹を支える構造となる。すなわち、第１緊締部と第２緊締部とが有する緊締力によって、腹部中央では腹筋群を後側に押し付ける力と、左右の肋骨下端部を結ぶ背中では脊柱を支える脊柱起立筋群を前側に押し付ける力と、仙骨部の下部の後中心では骨盤を支える殿筋群を前側に押し付ける力とがそれぞれ生じる。この３つの力の協働により、お腹を引き締め、骨盤及び脊柱を本来の位置に維持するように体幹を支えることができ、姿勢を整えることができる。
【０００７】
加えて、第１緊締部の幅は第２緊締部の幅よりも大きく形成されるので、脊柱起立筋群及び腹筋群を強くサポートすることで、背中が後に倒れこみやすい姿勢を補整することができる。さらに、この衣類の丈方向において、本体部の伸長率は緊締部の伸長率の１．５〜５倍であるため、着用者の姿勢を補整すると共に、着用者の自然の動きに追随して伸長することで、長時間を着用しても着用者に拘束感や窮屈感を与えることなく、自然な着心地が得られる。
【０００８】
ここで、伸長率とは、本体部または緊締部を引き伸ばしたときの長さと元の長さとの差の、元の長さに対する百比率であって、ＪＩＳ  Ｌ１０９６：１９９９  ８．１４．１Ａ法に準拠して求められる値である。
【０００９】
本発明に係る姿勢補整衣類において、緊締部は、伸縮性を有する生地と、当該生地の肌側に縫着された当て布とからなり、本体部は、伸縮性を有する生地から形成されていることが好適である。このようにすれば、本体部の緊締力よりも強い緊締力を有する緊締部を容易に形成することができる。
【００１０】
本発明に係る姿勢補整衣類において、第１緊締部と第２緊締部とは、着用者の腹部中央に対応する部分で重ね合わされ、重ね合わせ領域を形成し、重ね合わせ領域は、伸縮性を有する生地と、第１緊締部のあて布と、第２緊締部のあて布とからなることが好適である。このように第１緊締部と第２緊締部とが腹部中央で重ね合わされることにより、第１緊締部と第２緊締部とは腹部中央で連結される。従って、着用時に、肩部からの引き上げる力が第１緊締部を上方向に引き上げ、臀部からの引張る力が第２緊締部を下方向に引張ることで、着用者の腹部中央を後側に押し付ける力を高めることができる。その結果、腹筋群を強くサポートし、脊柱を支えるに必要な腹圧を高めることができ、姿勢を補整する効果を向上させることができる。
【００１１】
本発明に係る姿勢補整衣類において、股部を更に備えることが好適である。このようにすれば、臀部の安定性を強化することができ、より良い姿勢を補整することができる。
【発明の効果】
【００１２】
本発明によれば、着用者の姿勢を良くする姿勢補整衣類を提供することができる。
【発明を実施するための最良の形態】
【００１３】
以下、図面を参照しつつ本発明に係る姿勢補整衣類の好適な実施形態について詳細に説明する。なお、説明において、上下、左右及び前後方向は、着用者から見た方向である。
【００１４】
図１〜図３に示すように、姿勢補整衣類１は、タンクトップ型の衣類であって、着用者の人体にフィットするように形成されている。この姿勢補整衣類１は、胴体を覆うように形成された本体部１０と、複数の帯状の緊締部２０とを備えている。
【００１５】
姿勢補整衣類１は、前身頃１２と後身頃１４とを有し、これらを両脇側の縫合ラインＬ１（図３参照）に沿って縫合することにより形成されている。前身頃１２において、着用者の乳房に対応する位置には、乳房の形状に合わせるように形成されたカップ部１６が設けられている。後身頃１４は、左後身頃１４Ｌと右後身頃１４Ｒとからなる。そして、左後身頃１４Ｌと右後身頃１４Ｒとは、着用者の脊柱に沿って延在する縫合ラインＬ２（図２参照）に沿って互いに縫合されている。
【００１６】
本体部１０は、伸縮性を有する第１生地Ｓ１からなる。第１生地Ｓ１は、その生地の横方向が姿勢補整衣類１の丈方向と一致するように配置されている。第１生地Ｓ１として、パワーネット、サテンネット、トリコネット、ツーウェイトリコット、ツーウェイラッセルが挙げられる。本実施形態において、第１生地Ｓ１にはツーウェイラッセルを使用する。
【００１７】
一方、緊締部２０は、複数の帯状の当て布２６を第１生地Ｓ１の肌側に縫着することにより形成されている。当て布２６は、伸縮性を有する第２生地Ｓ２からなる。第２生地Ｓ２は、その生地の縦方向が姿勢補整衣類１の丈方向と一致するように配置されている。従って、第１生地Ｓ１の横方向と第２生地Ｓ２の横方向とは、直交している。
【００１８】
このような構成により、緊締部２０が本体部１０よりも伸びにくくなるので、緊締部２０の緊締力は本体部１０の緊締力よりも強い。姿勢補整衣類１の着用時に、着用者の自然の動きに追随し自然な着心地を維持するため、姿勢補整衣類１の丈方向において、本体部１０の伸長率は、緊締部２０の伸長率の１．５〜５倍であることが好適であり、３〜４．５倍であることがより好適である。本体部１０の伸長率は緊締部２０の伸長率に対して１．５倍未満の場合、姿勢補整衣類１は、着用者の動きを拘束し、着用者に窮屈感を与える。一方、本体部１０の伸長率は緊締部２０の伸長率に対して５倍を超えた場合、フィット感を維持し難い。
【００１９】
当て布２６の第２生地Ｓ２として、パワーネット、サテンネット、トリコネット、ツーウェイトリコット、ツーウェイラッセル等が挙げられる。本実施形態において、第２生地Ｓ２には、サテンネットを使用する。
【００２０】
以下、図４及び図５を参照しつつ、緊締部２０について説明する。
【００２１】
緊締部２０は、着用者の胴体を囲むようにそれぞれ形成された帯状の第１緊締部２２と第２緊締部２４とからなる。第１緊締部２２は、着用者胴体の上部に配置され、着用者の体軸（図示せず）に対し左右対称に形成されている。第１緊締部２２は、着用者の腹部中央Ａから左右肋骨の下端部Ｂ１，Ｂ２に向かって左側の第１緊締部２２Ｌと右側の第１緊締部２２Ｒに分かれ、それぞれ左右肋骨の下端部Ｂ１，Ｂ２を通り背中で互いに連結されることにより形成されている。従って、前身頃１２において、左側の第１緊締部２２Ｌと右側の第１緊締部２２Ｒとで略Ｖ字状をなし、後身頃１４において、左側の第１緊締部２２Ｌと右側の第１緊締部２２Ｒとは略直線状に連結されている。
【００２２】
第２緊締部２４は、着用者の胴体の下部に配置され、着用者の体軸（図示せず）に対し左右対称に形成されている。第２緊締部２４は、着用者の腹部中央Ａから斜め下方向に向かって左側の第１緊締部２４Ｌと右側の第１緊締部２４Ｒに分かれ、仙骨部の後を通り仙骨部の下部Ｃの後中心で互いに連結されることにより形成されている。従って、前身頃１２において、左側の第１緊締部２４Ｌと右側の第１緊締部２４Ｒとで逆Ｖ字状をなしている。後身頃１４において、左側の第１緊締部２４Ｌと右側の第１緊締部２４Ｒとは、着用者の臀部の丸みに合わせるように下方に略凸状に湾曲している。この場合には、姿勢補整衣類１が着用者の臀部の丸みに好適にフィットすることができると共に、姿勢補整衣類１のずりあがりを防止することができる。
【００２３】
また、第１緊締部２２の幅は第２緊締部２４の幅よりも大きく形成されている。第１緊締部２２の緊締力により着用者胴体の上部に働く力と、第２緊締部２４の緊締力により胴体の下部に働く力とのバランスを考慮した場合、第１緊締部２２の幅は、第２緊締部２４の幅に対して１．５〜４倍であることが好適であり、１．５〜３倍であることがより好適である。すなわち、第１緊締部２２の幅が第２緊締部２４の幅に対して４倍を超えた場合、第１緊締部２２の緊締力による胴体上部への力が強すぎて胴体上部を束縛し、全体のバランスが悪くなる。一方、第１緊締部２２の幅が第２緊締部２４の幅に対して１．５倍未満の場合、第１緊締部２２の緊締力により脊柱起立筋群及び腹筋群をサポートする力が弱く、背中が後に倒れこみやすい姿勢を補整する効果が不十分となる。なお、本実施形態において、第２緊締部２４の幅は４〜７．５ｃｍの範囲にあり、第１緊締部２２の幅は１１．５〜１４．５ｃｍの範囲にある。
【００２４】
第１緊締部２２と第２緊締部２４とは、着用者の腹部中央Ａに対応する部分で重ね合わされ、重ね合わせ領域２８を形成する。図１に示すように、左側の第１緊締部２２Ｌの上縁２２ａと右側の第１緊締部２２Ｒの上縁２２ｂとの交差点と、左側の第２緊締部２４Ｌの上縁２４ａと右側の第２緊締部２４Ｒの上縁２４ｂとは略一致している。この重ね合わせ領域２８は、第１生地Ｓ１と、第１緊締部２２の第２生地Ｓ２と、第２緊締部２４の第２生地Ｓ２とからなり、三枚構造となっている。この場合、腹部中央Ａ周辺の腹筋群を強くサポートすることで、脊柱を支えるに必要な腹圧を高めると共に、お腹を引き締める効果を向上させることができる。
【００２５】
そして、重ね合わせ領域２８の形成により、前身頃１２において、第１緊締部２２と第２緊締部２４とは、略Ｘ字状をなしている。すなわち、第１緊締部２２の左側の第１緊締部２２Ｌと第２緊締部２４の右側の第１緊締部２４Ｒとは略直線状に配置され、第１緊締部２２の右側の第１緊締部２２Ｒと第２緊締部２４の左側の第１緊締部２４Ｌとは略直線状に配置されている。このようにすれば、第１緊締部２２と第２緊締部２４とが有する緊締力を直線状にまとめることができ、効率よく体幹を支えることができる。
【００２６】
また、図１に示すように、第１緊締部２２は着用者の腹部中央Ａから下側に延出し、菱形状の領域３０を形成している。この場合、腹部下部に逃げがちの肉を引き上げることにより、お腹を引き締めることができる。
【００２７】
このように構成された姿勢補整衣類１を着用する時に、第１緊締部２２と第２緊締部２４が有する緊締力によって、着用者の腹部中央Ａ、左右の肋骨の下端部Ｂ１，Ｂ２を結ぶ背中、仙骨部の下部Ｃの後中心を頂点とした張力を有する三角形の領域を形成する。そして、この三角形頂点にそれぞれ対応する腹筋群、脊柱起立筋群及び殿筋群をサポートし、三点で体幹を支える構造となる。すなわち、図５に示すように、腹部中央Ａでは腹筋群を後側に押し付ける力Ｆ１と、左右肋骨の下端部Ｂ１，Ｂ２を結ぶ背中では脊柱を支える脊柱起立筋群を前側に押し付ける力Ｆ２と、仙骨部の下部Ｃの後中心では骨盤を支える殿筋群を前側に押し付ける力Ｆ３がそれぞれ生じる。この３つの力の協働により、お腹を引き締め、骨盤及び脊柱を本来の位置に維持するように体幹を支えることができ、姿勢を整えることができる。
【００２８】
加えて、第１緊締部２２と第２緊締部２４とが、腹部中央Ａで重ね合わされ、重ね合わせ領域２８を形成することにより、第１緊締部２２と第２緊締部２４とは腹部中央Ａで連結される。このため、左右肋骨の下端部Ｂ１，Ｂ２を結ぶ背中では、肩部からの引き上げる力Ｆ４が第１緊締部２２を上方向に引き上げ、仙骨部の下部Ｃの後中心では、臀部からの引張る力Ｆ５が第２緊締部２４を下方向に引張ることにより、着用者の腹部中央Ａを後側に押し付ける力Ｆ１を高めることができる。その結果、腹筋群を強くサポートし、脊柱を支えるに必要な腹圧を高めることができ、姿勢を補整する効果を向上させることができる。
【００２９】
また、第１緊締部２２の幅は第２緊締部２４の幅よりも大きく形成されるため、脊柱起立筋群及び腹筋群を強くサポートすることで、背中が後に倒れこみやすい姿勢を補整することができる。さらに、本体部１０の伸長率は、緊締部２０の伸長率に対して１．５〜５倍であるため、着用者の姿勢を補整すると共に、着用者の自然の動きに追随して伸長することで、長時間を着用しても着用者に拘束感や窮屈感を与えることなく、自然な着心地が得られる。
【００３０】
以下、姿勢補整衣類１をダミー人形５に着用させて腹部中央Ａを押し付ける力Ｆ１の測定について説明する。
【００３１】
測定に用いたダミー人形５は、繊維強化プラスチック（ＦＲＰ）からなり、膝から頭部までの上半身を有するダミーである。殿溝点の寸法は、床高さが２７．３ｃｍ、周径８４．１ｃｍである。ヒップの寸法は、床高さが３５．３ｃｍ、周径８９．０ｃｍである。腸棘点の寸法は、床高さが４１．３ｃｍ、周径８７．２ｃｍである。ウェストの寸法は、床高さが５３．７ｃｍ、周径７０．５ｃｍである。アンダバストの寸法は、床高さが６３．１ｃｍ、周径７４．８ｃｍである。トップバストの寸法は、床高さが６９．３ｃｍ、周径８７．５ｃｍである。
【００３２】
押し付ける力Ｆ１を測定する際に用いた測定器は、株式会社エイエムアイ社製の接触圧測定器（エアーパック式）であり、各仕様は、卓上タイプ：ＡＭＩ３０３７−２０、センサー部：直径２０[ｍｍ]、最大測定値：約１５０００[Ｐａ]、ガイドチューブ：１．５[ｍ]である。その測定方法として、姿勢補整衣類１を着用させた状態において、ダミー人形５の腹部中央Ａに圧力センサーを取り付けて、姿勢補整衣類１から圧力センサーにかかる圧力を測定する。
【００３３】
まず、通常の着用状態での腹部中央Ａにおける押し付ける力Ｆ１を測定した。図６に示すように姿勢補整衣類１がダミー人形５の臀部に完全にかかるまで姿勢補整衣類１を着用させ、腹部中央Ａを押し付ける力Ｆ１の測定を行った。その測定結果として、押し付ける力Ｆ１は２１．４ｇｆ／ｃｍ２であった。
【００３４】
次に、図７に示すようにダミー人形５の高さ方向において、姿勢補整衣類１を伸ばさない状態、すなわち姿勢補整衣類１がダミー人形５の臀部に完全にかからない状態での腹部中央Ａを押し付ける力Ｆ１を測定した。その結果として、押し付ける力Ｆ１は２０．８ｇｆ／ｃｍ２であって、通常の着用状態での押し付ける力Ｆ１より小さい結果であった。
【００３５】
以上の結果により、通常の着用状態において、姿勢補整衣類１がダミー人形５の臀部に完全にかかるので、臀部からの引張る力Ｆ５が大きくなる。そして、この臀部からの引張る力Ｆ５と肩部からの引き上げる力Ｆ４との協働で、第１緊締部２２と第２緊締部２４とをそれぞれ上方向と下方向に引張り、腹部中央Ａを押し付ける力Ｆ１を高めることができたことが実証された。
【００３６】
続いて、姿勢補整衣類１の丈方向における本体部１０の伸長率及び緊締部２０の伸長率の測定について説明する。
【００３７】
図８に示すように、第１生地Ｓ１としてツーウェイラッセルと、第２生地Ｓ２としてサテンネットとを用い、ＪＩＳ  Ｌ１０９６：１９９９  ８．１４．１Ａ法に準拠して本体部１０、重ね合わせ領域２８、及び重ね合わせ領域２８以外の緊締部２０の伸長率を測定し、１．５ｋｇｆ荷重時のそれぞれの伸長率を求めた。なお、測定は、サンプル幅５０ｍｍ、つかみ間隔２００ｍｍ、姿勢補整衣類１の丈方向に沿って引張り速度２００ｍｍ／ｍｉｎの条件で行った。
【００３８】
その結果として、本体部１０の伸長率は９５．９％で、重ね合わせ領域２８の伸長率は３８．４％で、重ね合わせ領域２８以外の緊締部２０の伸長率は６１．０％であった。従って、姿勢補整衣類１の丈方向において、本体部１０の伸長率は、重ね合わせ領域２８以外の緊締部２０の伸長率に対して１．６倍、重ね合わせ領域２８の伸長率に対して２．５倍の結果となった。
【００３９】
以下、図９を参照して姿勢補整衣類１の変形例について説明する。
【００４０】
図９（ａ）に示す変形例では、姿勢補整衣類２は、更にショーツのような股部３２を備える。このような構成により、姿勢補正衣類２は、姿勢補整衣類１と同様な効果が得られるほか、股部３２を備えることにより、着用者の臀部の安定性を強化することができ、より良い姿勢を補整することができる。
【００４１】
図９（ｂ）に示す変形例では、姿勢補整衣類３は、更に袖部３４を備える。このような構成は、姿勢補整衣類１と同様な効果が得られる。
【００４２】
本発明は、上記の実施形態に限定されず、種々の態様が可能である。上記の実施形態では、第１生地Ｓ１の横方向は、姿勢補整衣類１の丈方向と一致し、且つ第２生地Ｓ２の横方向と直交するが、これに限らず、例えば姿勢補整衣類１の丈方向において、第１生地Ｓ１の横方向と第２生地Ｓ２の横方向とを一致してもよく、あるいはその他の組み合わせてもよい。また、緊締部は、当て布を本体部の生地の外側に縫着することにより形成されてもよい。
【図面の簡単な説明】
【００４３】
【図１】実施形態に係る姿勢補整衣類を着用した状態を示す正面図である。
【図２】実施形態に係る姿勢補整衣類を着用した状態を示す背面図である。
【図３】実施形態に係る姿勢補整衣類を着用した状態を示す側面図である。
【図４】緊締部と人体の骨格との位置関係を説明する図である。
【図５】緊締部と人体の骨格との位置関係を説明する図である。
【図６】姿勢補整衣類の着用状態を示す図である。
【図７】姿勢補整衣類の着用状態を示す図である。
【図８】測定結果を示す図である。
【図９】姿勢補整衣類の変形例を示す図である。
【符号の説明】
【００４４】
１，２，３…姿勢補整衣類、１０…本体部、２０…緊締部、２２…第１緊締部、２４…第２緊締部、２８…重ね合わせ領域、３２…股部、Ａ…腹部中央、Ｂ１，Ｂ２…肋骨の下端部、Ｃ…仙骨部の下部。
【図１】
2008144302.tif 000003
【図２】
2008144302.tif 000004
【図３】
2008144302.tif 000005
【図４】
2008144302.tif 000006
【図５】
2008144302.tif 000007
【図６】
2008144302.tif 000008
【図７】
2008144302.tif 000009
【図８】
2008144302.tif 000010
【図９】
2008144302.tif 000011